(57)【要約】【課題】コネクタ接続時にコネクタに無理な力が加わらないようにすることができる支持装置及び電子機器を提供する。【解決手段】クレイドル装置（支持装置）２０は、底板２４を備えた筐体２１と、底板２４に対して傾斜し、筐体２１の外部に露出されるコネクタ４０が取り付けられたサブ基板４００と、第１方向に移動可能にサブ基板４００を支持する第１支持部と、サブ基板４００の第１方向の移動量を規制し、コネクタ４０より離れたサブ基板４００の周縁部に設けられた規制部と、コネクタ４０に対して偏心して配置され、第１方向と交差する第２方向に移動可能にサブ基板４００を支持する第２支持部とを備える。【選択図】図１
2011248929.tif 000002
【特許請求の範囲】
【請求項１】
底板を備えた筐体と、
前記底板に対して傾斜し、前記筐体の外部に露出されるコネクタが取り付けられた基板と、
第１方向に移動可能に前記基板を支持する第１支持部と、
前記基板の前記第１方向の移動量を規制し、前記コネクタより離れた前記基板の周縁部に設けられた規制部と、
前記コネクタに対して偏心して配置され、前記第１方向と交差する第２方向に移動可能に前記基板を支持する第２支持部とを備えた支持装置。
【請求項２】
前記筐体は、後壁を備え、
前記第２支持部は、前記コネクタ対して前記後壁と反対側に偏心して配置された請求項１に記載の支持装置。
【請求項３】
前記基板は、前記コネクタが実装された第１面と、前記第１面とは反対側に位置した第２面とを有し、
前記第２支持部は、前記第２面と前記底板との間に位置した請求項１又は２に記載の支持装置。
【請求項４】
前記第２支持部は、立方体形状を有する弾性部材である請求項１乃至３のいずれか１項に記載の支持装置。
【請求項５】
底板を備えた筐体と、
底板とは反対側に露出されるコネクタが実装され、前記底板に対して傾斜した基板と、
前記基板を移動可能に支持する第１支持部と、
前記コネクタに対して偏心して配置され、前記基板を弾性的に支持した第２支持部と、
を備えた支持装置。
【請求項６】
請求項１又は５に記載の支持装置に接続される電子機器。
【請求項７】
前記電子機器は、表示画面を有する表示装置を備え、
前記支持装置の前記筐体は、前記表示画面を外れた位置で、前記電子機器の前面から支持した壁を備える請求項６に記載の電子機器。
【請求項８】
前記電子機器は、表示画面を有する表示装置を備え、
前記筐体は、前記表示画面とは反対側から前記電子機器を支持した壁を備える請求項６に記載の電子機器。
【請求項９】
前記電子機器は、表示画面を有する表示装置と、前記表示装置の背面を覆った第２筐体とを備え、前記第２筐体の底面に前記支持装置の前記コネクタと接続される第２コネクタが露出した請求項６に記載の電子機器。
【請求項１０】
前記筐体は、前記電子機器を支持する支持面を備え、
前記支持面は、前記基板と略平行に延びる請求項６に記載の電子機器。
【発明の詳細な説明】
【技術分野】
【０００１】
本発明は、支持装置及び電子機器に関する。
【背景技術】
【０００２】
近年、パソコン装置では、パソコン本体と、ディスク駆動装置等を搭載したステーション本体とを別構成とし、パソコン本体をステーション本体に対して着脱可能にドッキングさせるドッキング装置が提案されている（例えば、特許文献１参照。）。
【０００３】
特許文献１に記載されたドッキング装置は、ステーション本体内の基板上にドッキングコネクタを設置し、基板をコネクタ設置面内（水平方向）にて移動可能にボールベアリング等の可動支持手段により支持したものである。ドッキングコネクタとパソコン本体に設けられたパソコン側コネクタは、いずれかのコネクタのハウジング等に形成されたガイド部分によって相手方コネクタを適正な結合位置に案内することができる範囲であれば、パソコン側コネクタとドッキングコネクタとの間に位置ずれがあっても、基板およびドッキングコネクタがステーション本体に対して移動し、両コネクタが結合される。
【先行技術文献】
【特許文献】
【０００４】
【特許文献１】特開平１０−１３３７８０号公報
【発明の概要】
【発明が解決しようとする課題】
【０００５】
しかし、従来のドッキング装置では、コネクタの接続方向に垂直な方向にのみコネクタを移動させる構造であるため、コネクタ接続時に無理な力が加わり、コネクタが破損するおそれがある。
【０００６】
従って、本発明の目的は、コネクタ接続時にコネクタに無理な力が加わらないようにすることができる支持装置及び電子機器を提供することにある。
【課題を解決するための手段】
【０００７】
本発明は、上記目的を達成するため、底板を備えた筐体と、前記底板に対して傾斜し、前記筐体の外部に露出されるコネクタが取り付けられた基板と、第１方向に移動可能に前記基板を支持する第１支持部と、前記基板の前記第１方向の移動量を規制し、前記コネクタより離れた前記基板の周縁部に設けられた規制部と、前記コネクタに対して偏心して配置され、前記第１方向と交差する第２方向に移動可能に前記基板を支持する第２支持部とを備えた支持装置を提供する。
【０００８】
本発明は、上記目的を達成するため、上記支持装置に接続される電子機器を提供する。
【発明の効果】
【０００９】
本発明によれば、コネクタ接続時にコネクタに無理な力が加わらないようにすることができる。
【図面の簡単な説明】
【００１０】
【図１】図１は、本発明の実施の形態に係る電子機器システムの斜視図である。
【図２】図２は、電子機器システムを構成するポータブルコンピュータの斜視図である。
【図３】図３は、電子機器システムを構成するクレイドル装置の斜視図である。
【図４】図４は、クレイドル装置を底面側から見た斜視図である。
【図５】図５は、クレイドル装置を底面側から見た分解斜視図である。
【図６】図６は、サブ基板の斜視図である。
【図７】図７は、サブ基板４００の取付け構造を示し、（ａ）は、平面図、（ｂ）は、（ａ）のＡ−Ａ断面図、（ｃ）は、（ａ）のＢ−Ｂ断面図である。
【図８】図８は、フックの構造例を示し、（ａ）は分解斜視図、（ｂ）は組立状態を示す断面図である。
【図９】図９は、ポータブルコンピュータのシステム構成を示すブロック図である。す図である。
【図１０】図１０（ａ）〜（ｃ）は、ポータブルコンピュータのクレイドル装置への装着動作を示す
【図１１】図１１（ａ）〜（ｃ）は、ポータブルコンピュータのクレイドル装置からの離脱動作を示す図である。
【発明を実施するための形態】
【００１１】
図１は、本発明の実施の形態に係る電子機器システムの斜視図、図２は、電子機器システムを構成するポータブルコンピュータの斜視図、図３は、電子機器システムを構成するクレイドル装置の斜視図である。
【００１２】
（電子機器システム）
この電子機器システム１は、図１に示すように、主に机上や天板等に置かれて使用されるクレイドル装置（支持装置）２０と、クレイドル装置２０に対して着脱可能なタブレット型のポータブルコンピュータ（電子機器）１０とを有して構成されている。
【００１３】
（ポータブルコンピュータ）
ポータブルコンピュータ（以下、単に「コンピュータ」ともいう。）１０は、クレイドル装置２０から取り外された状態でバッテリ駆動が可能となっている。また、ポータブルコンピュータ１０は、図１、図２に示すように、前面１１ａ、側面１１ｂ，１１ｂ、底面１１ｃ、上面１１ｄおよび背面１１ｅを有する略矩形状の本体１１を備える。
【００１４】
本体１１の前面１１ａには、そのほぼ中央に重合配置された後述するＬＣＤ（Liquid Crystal Display）およびタブレットからなる表示部１２が配置され、表示部１２の下側には、カーソルキー１３、左クリックスイッチ１４Ａおよび右クリックスイッチ１４Ｂが配置され、表示部１２の上側には、マイク１５が配置されている。
【００１５】
本体１１の右側の側面１１ｂには、電源スイッチ１６およびＵＳＢ（Universal Serial Bus）端子１７が配置され、本体１１の底面１１ｃには、コネクタ（第１の外部接続端子）１８と係合穴１９が配置されている。また、底面１１ｃの内側に、コンピュータ１０のクレイドル装置２０からの離脱を磁気的に検出するための磁性体（図示せず）が配置されている。
【００１６】
コネクタ１８は、クレイドル装置２０に設けられた図３に示すコネクタ（第２の外部接続端子）４０に接続するものであり、底面１１ｃから突出しないように、図２において底面１１ｃの中心から右方向にずれた位置に設けられている。
【００１７】
係合穴１９は、クレイドル装置２０に設けられた図３に示すフック（係止片）５０が係止するものであり、図２において底面１１ｃの中心から左方向にずれた位置に設けられている。
【００１８】
（クレイドル装置）
クレイドル装置２０は、コンピュータ１０に電源を供給する機能と、ノート型パソコン、外部記憶装置等の外部装置との通信によりコンピュータ１０に拡張性を持たせる機能とを有する。なお、クレイドル装置２０は、上記の機能に限定されず、例えば、クレイドル装置自体がパソコンや外部記憶装置等の電子機器であってもよい。また、クレイドル装置２０は、図１、図３に示すように、各種の基板を内蔵する筐体２１と、筐体２１に固定され、ポータブルコンピュータ１０を支持するスタンド（電子機器案内部）２２とを備える。
【００１９】
筐体２１は、側壁２１ａ、前壁２１ｂ、後壁２１ｃ、上壁２１ｄ、および後述する底壁を有する。底壁には、コネクタ４０が取り付けられている。
【００２０】
スタンド２２は、コンピュータ１０をクレイドル装置２０に装着する際のガイドとなる側壁２２ａ、前壁２２ｂおよび後壁２２ｃと、コンピュータ１０の底面１１ｃが当接する底壁２２ｄとを有する。スタンド２２は、筐体２１にネジによって固定されているが、筐体２１と一体的に形成されていてもよい。また、スタンド２２を設けずに、筐体２１にコンピュータ１０をガイドする窪みを設けてもよい。
【００２１】
側壁２２ａおよび前壁２２ｂは、後壁２２ｃよりも高さを低くしているが、コンピュータ１０に設けられたコネクタ１８がクレイドル装置２０に設けられたコネクタ４０に接触するよりも先にコンピュータ１０の下部外周部の位置を規制し得る高さを有する。
【００２２】
底壁２２ｄには、図３に示すコネクタ４０を挿通させるための開口２２ｅと、図３に示すフック５０を挿通させるための開口２２ｆとが形成されている。
【００２３】
図４は、クレイドル装置２０を底面側から見た斜視図、図５は、クレイドル装置２０を底面側から見た分解斜視図である。図４、図５は、筐体２１の底面を閉塞する底板の図示を省略している。筐体２１は、側壁２１ａ、前壁２１ｂ、後壁２１ｃを補強するため、上壁２１ｄから補強片２１ｆが形成されている。上壁２１ｄには、ネジ穴２１１ａが形成されたスタッド２１１が突設しており、底板がビスによってネジ穴２１１ａに固定される。
【００２４】
筐体２１の上壁２１ｄには、メイン基板３００が取り付けられ、底壁２１ｅには、サブ
基板４００が取り付けられている。
【００２５】
底壁２１ｅは、山形状に湾曲した形状を有し、フック５０を収納するフック収納部２１４と、スタンド２２に設けられた位置決め突起２２ｇが嵌合する四角穴２１ｇと、ボス部２１ｈと、サブ基板４００およびスタンド２２を取り付けるためにボス部２１ｈに設けられた取付け穴２１ｉと、後述する台座を逃げるための開口２１ｊと、底板を固定するためのスタッド２１１とが設けられている。
【００２６】
メイン基板３００には、筐体２１の後壁２１ｃに露出するように電源端子部３０１、ＵＳＢ端子３０２およびミニＵＳＢ端子３０３が実装され、図示しない底板とのスペースを確保するためのスペーサ３０４と、サブ基板４００と接続するコネクタ３０５が取り付けられている。
【００２７】
サブ基板４００の裏面には、フィルム４４と、フィルム４４上に設けられ、図示しない底体に対して弾性的に押圧するスポンジ，ゴム等からなる弾性体（垂直方向支持部、弾性力付与部材）４５と、メイン基板３００を接続するコネクタ４３が取り付けられている。メイン基板３００上のコネクタ３０５とは、フレキシブル配線基板３０６によって接続される。
【００２８】
図６は、サブ基板４００の斜視図である。サブ基板４００には、コネクタ４０と、コネクタ４０が取り付けられる台座４１と、磁気センサ４２とが実装され、取付け穴４００ａと、位置決め穴４００ｂが形成されている。コネクタ４０は、相手のコネクタ１８の接続位置にコネクタ４０を案内する一対の角錘状の案内部４０ａが設けられている。コネクタ４０と相手のコネクタ１８との接続位置のずれ量が案内部４０ａによって案内することができる範囲内であれば、サブ基板４００が水平移動してコネクタ４０を相手のコネクタ１８に接続させることができる。なお、案内部はコネクタ１８，４０の両方に設けられていてもよく、相手のコネクタ１８にのみ設けられていてもよい。
【００２９】
磁気センサ４２は、コンピュータ１０に設けられた磁性体との距離に応じて、コンピュータ１０のクレイドル装置２０からの離脱を磁気的に検出する。なお、磁気センサ４２をコンピュータ１０に設け、磁性体をクレイドル装置２０に設けてもよい。
【００３０】
（サブ基板の取付け構造）
図７は、サブ基板４００の取付け構造を示し、（ａ）は、サブ基板４００の裏面側から見た平面図、（ｂ）は、（ａ）のＡ−Ａ断面図、（ｃ）は、（ａ）のＢ−Ｂ断面図である。なお、図７（ａ）では、底板を省略して示す。
【００３１】
２つの位置決め穴４００ｂは、図７（ａ）に示すように、サブ基板４００の周縁部近傍に位置するように形成されており、基板サブ基板４００に対してできるだけ長いピッチが得られるように形成されている。２つの取付け穴４００ａは、２つの位置決め穴４００ｂのピッチよりも短いピッチで形成されており、位置決め穴４００ｂよりもコネクタ４０に隣接した位置に形成されている。なお、取付け穴４００ａのピッチは、位置決め穴４００ｂのピッチとほぼ同等であってもよく、位置決め穴４００ｂについても上記した２つに限定されず、３つあるいはそれ以上であってもよい。
【００３２】
位置決め突起２２ｇは、図７（ｂ）に示すように、スタンド２２の底壁２２ｄに四角座２２ｈを介して設けられており、筐体２１の底壁２１ｅに設けられた四角穴２１ｇに四角座２２ｈが嵌合されて底壁２１ｅの裏面に突出している。これにより、スタンド２２に対してサブ基板４００を移動可能に位置決めすることができる。
【００３３】
サブ基板４００の取付け構造は、コンピュータ１０のクレイドル装置２０への装着動作に追従してクレイドル装置２０側のコネクタ４０がコンピュータ１０側のコネクタ１８に一致するように、コネクタ４０が搭載されたサブ基板４００を前後、左右に移動可能に取り付けている。すなわち、コンピュータ１０の外周面とスタンド２２のガイド部を構成する側壁２２ａ、前壁２２ｂ、後壁２２ｃの内面との間のガタ量（例えば、左右、前後それぞれ０．３ｍｍ）よりもサブ基板４００の移動可能量（例えば、前後、左右それぞれ０．６ｍｍ）を大きくしている。
【００３４】
サブ基板４００を前後、左右に移動可能とするため、例えば、位置決め穴４００ｂの内径を３ｍｍ、位置決め突起２２ｇの外径を１．８ｍｍとする。取付け穴４００ａの内径とボス部２１ｈの外径とのガタ量は、前後、左右それぞれ０．６ｍｍ以上とする。
【００３５】
サブ基板４００に設けた取付け穴４００ａ、および筐体２１に設けたボス部２１ｈは、サブ基板４００をコネクタ４０を取り付けた面の面内方向（水平方向）に移動可能に支持する水平方向支持部を構成する。取付け穴４００ａがコネクタ４０に近接して設けられることで、コネクタ４０を介して付与される外力に対するサブ基板４００のたわみが抑制される。また、位置決め穴４００ｂ、および位置決め突起２２ｇは、コネクタ４０より離れたサブ基板４００の周縁部に設けられて、サブ基板４００の面内方向の移動量を規制する水平移動量規制部を構成する。
【００３６】
また、ボス部２１ｈ、弾性体４５、ネジ２１２およびワッシャ２１３は、サブ基板４００を上記面内方向に垂直な方向に移動可能に支持する垂直方向支持部を構成する。図７（ａ）においては、２つの水平移動量規制部が設けられているが、その距離はコネクタ４０の両側に設けられる２つの水平方向支持部間の距離よりも大になるようにサブ基板４００の長辺方向に離れており、かつコネクタ４０から離れて設けられている。このことにより、コネクタ４０の面内方向の移動を許容しながらもコネクタ４０を中心とする回転方向の動きを規制する。
【００３７】
弾性体４５は、弾性力付与部材としてサブ基板４００に上方への弾性力を付与し、コネクタ１８，４０の位置ずれによりコネクタ４０が押し込まれたときは、弾性体４５は圧縮し、図７（ｃ）に示す矢印方向にサブ基板４００が移動する。なお、弾性体４５は、摩擦力を付与せず、サブ基板４００の水平方向および垂直方向の弾性力を付与してもよい。
【００３８】
（サブ基板の取付け作業）
サブ基板４００を筐体２１の底壁２１ｅに取り付けるときは、サブ基板４００の位置決め穴４００ｂ内に位置決め突起２２ｇに入れ、ネジ２１２をワッシャ２１３を介してスタンド２２の底壁２２ｄに形成されたボス部２２０のネジ穴２２１に締め付ける。次に、底板２４を図示しないネジによってスタッド２１１のネジ穴２１１ａに固定する。
【００３９】
底板２４を取り付けると、サブ基板４００は、弾性体４５により底壁２１ｅ側に押圧された状態となる。
【００４０】
（フック）
図８は、フックの構造例を示し、（ａ）は分解斜視図、（ｂ）は組立状態を示す断面図である。フック５０は、ベース部５０ａと、ベース部５０ａの上方に設けられた爪部５０ｂと、ベース部５０ａの下方に設けられた軸部５０ｃとから構成され、樹脂等の材料により一体成型により形成されている。爪部５０ｂは、傾斜面５０ｄと水平面５０ｅを有する。
【００４１】
軸部５０ｃをスタンド２２の底壁２２ｄの下面側に設けられた図示しない軸受け部に軸支させ、巻きバネ５１をフック５０の軸部５０ｃに装着し、巻きバネ５１の一方のＬ字状の端部５１ａをフック５０のベース部５０ａに係止し、他方の直線状の端部５１ｂをスタンド２２の底壁２２ｄの下面に当接するように組み立てる。
【００４２】
これにより、巻きバネ５１は、図８（ｂ）に示す矢印方向と反対の方向へ弾性的な回転力をフック５０に与えている。なお、巻きバネ５１は、引っ張りバネ、または圧縮バネによってフック５０に巻きバネ５１と同様の回転力を与えてもよい。
【００４３】
（ポータブルコンピュータのシステム構成）
図９は、ポータブルコンピュータ１０のシステム構成を示すブロック図である。本コンピュータ１０は、ＣＰＵ１１１、ノースブリッジ１１２、主メモリ１１３、グラフィックスコントローラ１１４、ＬＣＤ１２ａ、タブレット１２ｂ、サウスブリッジ１１６、ＢＩＯＳ−ＲＯＭ１２０、ネットワークコントローラ１２５、ハードディスクドライブ（ＨＤＤ）１３０、コネクタ１８、エンベデッドコントローラ／キーボードコントローラＩＣ（ＥＣ／ＫＢＣ）１７０および電源回路１８０等から構成されている。
【００４４】
ＣＰＵ１１１は、本コンピュータ１０の動作を制御するプロセッサである。ＣＰＵ１１１は、ＨＤＤ１３０から主メモリ１１３にロードされるオペレーティングシステムおよび各種アプリケーションプログラムを実行する。また、ＣＰＵ１１１は、ＢＩＯＳ−ＲＯＭ１２０に格納されたシステムＢＩＯＳ（Basic Input Output System）も実行する。システムＢＩＯＳは、ハードウェア制御ためのプログラムである。
【００４５】
ノースブリッジ１１２は、ＣＰＵ１１１のローカルバスとサウスブリッジ１１６との間を接続するブリッジデバイスである。また、ノースブリッジ１１２は、ＡＧＰ（Acceler ated Graphics Port）バスなどを介してグラフィックスコントローラ１１４との通信を実行する機能も有している。さらに、ノースブリッジ１１２には、主メモリ１１３を制御するメモリコントローラも内蔵されている。
【００４６】
グラフィックスコントローラ１１４は、本コンピュータ１０のディスプレイモニタとして使用されるＬＣＤ１２ａを制御する表示コントローラである。また、グラフィックスコントローラ１１４は、オペレーティングシステムまたはアプリケーションプログラムによってビデオメモリ（ＶＲＡＭ）１１４Ａに書き込まれたデータをＬＣＤ１２ａに表示する。
【００４７】
サウスブリッジ１１６は、ＨＤＤ１３０を制御するためのＩＤＥ（Integrated Drive Ele ctronics）コントローラ、およびＵＳＢ端子１７を制御するＵＳＢコントローラ１１７を内蔵している。また、サウスブリッジ１１６は、ＰＣＩ（Peripheral Component Interconnect）バス２およびＬＰＣ（Low Pin Count）バス３にそれぞれ接続されている。
【００４８】
ＰＣＩバス２には、ネットワークコントローラ１２５が接続されている。ネットワークコントローラ１２５は、ＬＡＮポート１２６に接続されるＬＡＮケーブルを介して、外部のネットワーク機器との通信を実行する。
【００４９】
ＥＣ／ＫＢＣ１７０は、電源管理のためのエンベデッドコントローラ（ＥＣ）と、タブレット１２ｂ、カーソルキー１３、左クリックスイッチ１４Ａおよび右クリックスイッチ１４Ｂ等を制御するキーボードコントローラ（ＫＢ）とが集積されたワンチップマイクロコンピュータである。このＥＣ／ＫＢＣ１７０は、電源回路１８０と協調して動作することにより、ユーザによる電源スイッチ１６の操作に応じて本コンピュータ１０を電源オン／電源オフする機能を有している。
【００５０】
電源回路１８０は、ＡＣアダプタ１８２を介して供給される外部電源、または充電可能なバッテリ１８１を用いて、本コンピュータ１０の各コンポーネントに供給すべきシステム電源を生成する。
【００５１】
本コンピュータ１０は、上述したようにコネクタ１８を介してクレイドル装置２０に接続される。コネクタ１８，４０には、例えば、５０個程度のピンが設けられている。これらのピンには、クレイドル装置２０から本コンピュータ１０に動作電源を供給するための幾つかの電源ピン、ＵＳＢ信号線群に接続される幾つかの信号ピンが定義されている。
【００５２】
（装着動作）
図１０（ａ）〜（ｃ）は、本コンピュータ１０のクレイドル装置２０への装着動作を示す。本コンピュータ１０をスタンド２２の後壁２２ｄに沿って矢印Ｃ方向に押し下げる。装着前の段階では、図１０（ａ）に示すように、フック５０は、巻きバネ５１によって付勢されて起立状態にある。本コンピュータ１０を下方Ｃへ押し下げると、係合穴１９の縁がフック５０の傾斜面５０ｄに当接し、フック５０に同図矢印方向Ｄへ回転しようとする反力を発生させる。この反力によってフック５０が巻きバネ５１のバネ力に抗して同図矢印方向Ｄへ回転する。
【００５３】
このとき、クレイドル装置２０側のコネクタ４０とコンピュータ１０側のコネクタ１８とは、接続位置がずれていても、コネクタ４０の案内部４０ａが案内できる範囲内であれば、サブ基板４００が弾性体４５の弾性力に抗して下方向へ沈みながら基板面内方向（水平方向）に移動し、接続位置が一致する。
【００５４】
さらに本コンピュータ１０を押し下げると、コネクタ４０は、本コンピュータ１０側のコネクタ１８に装着し、フック５０は、巻きバネ５１のバネ力によって元の状態に復帰して係合穴１９に係合する。
【００５５】
（離脱動作）
図１１（ａ）〜（ｃ）は、本コンピュータ１０のクレイドル装置２０からの離脱動作を示す。本コンピュータ１０をクレイドル装置２０から取り外すためには、コンピュータ１０を水平にそのまま持ち上げたり、フック５０側を持ち上げたのでは、係合穴１９の縁がフック５０の爪部５０ｂの水平面５０ｅに当接し、フック５０を回転させることができないため、コンピュータ１０を取り外すことが難しくなる。そこで本コンピュータ１０を図１１（ａ）に示すように、上方向Ｅへ持ち上げながら、図１１（ｂ）に示すように、コネクタ１８側をＦ方向へ持ち上げるようにすると、フック５０が同図矢印方向Ｄに回転し、フック５０が係合穴１９から外れ、コンピュータ１０をクレイドル装置２０から取り外すことができる。
【００５６】
（実施の形態の効果）
本実施の形態によれば、コネクタ４０を水平方向のみならず、垂直方向にも移動できるようにしたため、コネクタ接続時にコネクタ１８，４０に無理な力が加わらず、コネクタ１８，４０の破損を防ぐことができる。また、コネクタ４０とは反対側にフック５０を設けたので、コンピュータ１０をクレイドル装置２０から取り外す際のコンピュータ１０の姿勢が制限され、コネクタ１８，４０への負荷を軽減することができる。
【００５７】
なお、本発明は、上記実施の形態に限定されず、その発明の趣旨を逸脱しない範囲内において種々な変形が可能である。
【符号の説明】
【００５８】
１  電子機器システム、２  ＰＣＩバス、３  ＬＰＣバス、
１０  ポータブルコンピュータ、１１  本体、１１ａ  前面、１１ｂ  側面、
１１ｃ  底面、１１ｄ  上面、１１ｅ  背面、１２  表示部、１２ａ  ＬＣＤ、
１２ｂ  タブレット、１３  カーソルキー、１４Ａ  左クリックスイッチ、
１４Ｂ  右クリックスイッチ、１５  マイク、１６  電源スイッチ、１７  ＵＳＢ端子、
１８  コネクタ、１９  係合穴、２０  クレイドル装置、２１  筐体、２１ａ  側壁、
２１ｂ  前壁、２１ｃ  後壁、２１ｄ  上壁、２１ｅ  底壁、２１ｆ  補強片、
２１ｇ  四角穴、２１ｈ  ボス部、２１ｉ  取付け穴、２１ｊ  開口、２２  スタンド、
２２ａ  側壁、２２ｂ  前壁、２２ｃ  後壁、２２ｄ  底壁、２２ｅ  開口、
２２ｆ  開口、２２ｇ  位置決め突起、２２ｈ  四角座、２３  磁気センサ、２４  底板
、４０  コネクタ、４０ａ  案内部、４１  台座、４２  磁気センサ、４３  コネクタ、
４４  フィルム、４５  弾性体、５０  フック、５０ａ  ベース部、５０ｂ  爪部、
５０ｃ  軸部、５０ｄ  傾斜面、５０ｅ  水平面、５１  巻きバネ、
５１ａ，５１ｂ  端部、１１１  ＣＰＵ、１１２  ノースブリッジ、１１３  主メモリ、
１１４  グラフィックスコントローラ、１１６  サウスブリッジ、
１１７  ＵＳＢコントローラ、１２５  ネットワークコントローラ、
１２６  ＬＡＮポート、
１７０  エンベデッドコントローラ／キーボードコントローラＩＣ（ＥＣ／ＫＢＣ）、
１７２  レジスタ、１７３  磁性体、１８０  電源回路、１８１  バッテリ、
１８２  ＡＣアダプタ、２１１  スタッド、２１１ａ  ネジ穴、２１２  ネジ、
２１３  ワッシャ、２１４  フック収納部、２２０  ボス部、２２１  ネジ穴、
３００  メイン基板、３０１  電源端子部、３０２  ＵＳＢ端子、
３０３  ミニＵＳＢ端子、３０４  スペーサ、３０５  コネクタ、
３０６  フレキシブル配線基板、４００  サブ基板、４００ａ  取付け穴、
４００ｂ  位置決め穴
【図１】
2011248929.tif 000003
【図２】
2011248929.tif 000004
【図３】
2011248929.tif 000005
【図４】
2011248929.tif 000006
【図５】
2011248929.tif 000007
【図６】
2011248929.tif 000008
【図７】
2011248929.tif 000009
【図８】
2011248929.tif 000010
【図９】
2011248929.tif 000011
【図１０】
2011248929.tif 000012
【図１１】
2011248929.tif 000013